(57)【要約】【課題】圧縮機の信頼性を向上させ、運転停止時の冷媒流通音が小さい空気調和装置を提供する。【解決手段】圧縮機１と、四方弁２と、室外熱交換器５と、絞り装置４とを有する室外ユニット６と、前記室外ユニット６に接続されると共に室内熱交換器３を有する室内ユニット９から構成され、前記圧縮機１と、前記四方弁２と、前記室内熱交換器３と、前記絞り装置４と、前記室外熱交換器５を冷媒回路で連結してヒートポンプ式冷凍サイクルを形成し、運転停止指示後、予め決めておいた時間の間、前記圧縮機１の回転数を下げて運転した後、運転を停止するもので、圧縮機１にかかる負荷が低減し、負担を減らすことにより圧縮機１の信頼性を向上することができるとともに、停止時の冷媒流通音を小さくすることができる。【選択図】図１
2009204225.tif 000002
【特許請求の範囲】
【請求項１】
圧縮機と、四方弁と、室外熱交換器と、絞り装置とを有する室外ユニットと、前記室外ユニットに接続されると共に室内熱交換器を有する室内ユニットから構成され、前記圧縮機と、前記四方弁と、前記室内熱交換器と、前記絞り装置と、前記室外熱交換器を冷媒回路で連結してヒートポンプ式冷凍サイクルを形成し、運転停止指示後、予め決めておいた時間の間、前記圧縮機の回転数を下げて運転した後、運転を停止することを特徴とする空気調和装置。
【請求項２】
室内熱交換器に室内配管温度センサを、室外熱交換器に室外配管温度センサをそれぞれ設け、前記室内配管温度センサと前記室外配管温度センサのそれぞれで検出された温度の差が予め決めておいた温度差以上の時に、運転停止指示後、予め決めておいた時間の間、圧縮機の回転数を下げて運転した後、運転を停止するようにした請求項１に記載の空気調和装置。
【請求項３】
圧縮機の回転数が予め決めておいた回転数以下の時に、運転停止指示後、予め決めておいた時間の間、前記圧縮機の回転数を下げて運転した後、運転を停止するようにした請求項１に記載の空気調和装置。
【発明の詳細な説明】
【技術分野】
【０００１】
本発明は、空気調和装置に関するもので、特に、ヒートポンプ式冷凍サイクルを有する空気調和装置の運転制御に関するものである。
【背景技術】
【０００２】
従来のこの種の空気調和装置は、図６〜８に示されるようなものが一般的であった（例えば、特許文献１参照）。
【０００３】
図６は、従来の空気調和装置の冷凍サイクル図、図７は、同空気調和装置の制御ブロック図、図８は運転停止時の挙動を示すタイムチャートである。
【０００４】
図６において、従来の空気調和装置は、室外ユニット６と、室外ユニット６に接続された室内ユニット９から構成され、冷房運転時の冷媒は、圧縮機１から四方弁２を通過し室外熱交換器５、絞り装置４、そして室内熱交換器３を順に通り、一方、暖房運転時の冷媒は、圧縮機１から四方弁２を通過し室内熱交換器３、絞り装置４、そして室外熱交換器５を順に通るようになっており、一般的な冷凍サイクルと同様である。７は、室外熱交換器５に風を通すための室外送風機である。
【０００５】
上記従来の空気調和装置の運転停止時の動作は、図７、８に示すように、室内ユニット９に設けた運転／停止判断手段１２が、使用者によるリモコン（図示せず）等の操作から、運転停止の指示があったことを検知すると、室外ユニット６に内蔵された運転／停止信号受信手段１７にその旨の信号を送る。運転／停止判断手段１２からの信号を受けた運転／停止信号受信手段１７は、圧縮機運転手段１８を介して、圧縮機１の運転を即時停止し、室外送風機運転手段１９を介して、室外送風機７のみ遅延制御で停止するようになっている。
【０００６】
上記発明で課題として取り上げられているように、ヒートポンプ運転を行った際の運転停止時の挙動は条件が決まれば可能である。
【特許文献１】特開昭５８−１４０５７２号公報
【発明の開示】
【発明が解決しようとする課題】
【０００７】
しかしながら、前記従来の空気調和装置では、冷房あるいは暖房運転時において運転停止時、冷凍サイクルに設けられた絞り装置４の膨張機構により冷凍サイクル内の高低圧差が大きな状態で即時、室外ユニット６の圧縮機１が停止されるため、圧縮機１に負担がかかり信頼性が確保できず、また、高低圧差が大きな状態で即時に圧縮機が停止されるため、冷媒流通音が大きいなどの基本的な課題があった。
【０００８】
本発明は、前記従来の課題を解決するもので、運転停止指示後でも室外ユニットのみ予め決めておいた時間の間、圧縮機の回転数を下げながら運転する、つまり圧縮機運転を遅延させることにより信頼性を向上させ、冷媒流通音の小さい空気調和装置を提供することを目的とする。
【課題を解決するための手段】
【０００９】
前記従来の課題を解決するために、本発明の空気調和装置は、圧縮機と、四方弁と、室外熱交換器と、絞り装置とを有する室外ユニットと、前記室外ユニットに接続されると共に室内熱交換器を有する室内ユニットから構成され、前記圧縮機と、前記四方弁と、前記
室内熱交換器と、前記絞り装置と、前記室外熱交換器を冷媒回路で連結してヒートポンプ式冷凍サイクルを形成し、運転停止指示後、予め決めておいた時間の間、前記圧縮機の回転数を下げて運転した後、運転を停止するもので、圧縮機にかかる負荷が低減し、負担を減らすことにより圧縮機の信頼性を向上することができるとともに、停止時の冷媒流通音を小さくすることができる。
【発明の効果】
【００１０】
本発明の空気調和装置は、圧縮機の信頼性を向上することができるとともに、停止時の冷媒流通音を小さくすることができる。
【発明を実施するための最良の形態】
【００１１】
第１の発明は、圧縮機と、四方弁と、室外熱交換器と、絞り装置とを有する室外ユニットと、前記室外ユニットに接続されると共に室内熱交換器を有する室内ユニットから構成され、前記圧縮機と、前記四方弁と、前記室内熱交換器と、前記絞り装置と、前記室外熱交換器を冷媒回路で連結してヒートポンプ式冷凍サイクルを形成し、運転停止指示後、予め決めておいた時間の間、前記圧縮機の回転数を下げて運転した後、運転を停止するもので、圧縮機にかかる負荷が低減し、負担を減らすことにより圧縮機の信頼性を向上することができるとともに、停止時の冷媒流通音を小さくすることができる。
【００１２】
第２の発明は、特に、第１の発明の室内熱交換器に室内配管温度センサを、室外熱交換器に室外配管温度センサをそれぞれ設け、前記室内配管温度センサと前記室外配管温度センサのそれぞれで検出された温度の差が予め決めておいた温度差以上の時に、運転停止指示後、予め決めておいた時間の間、圧縮機の回転数を下げて運転した後、運転を停止するようにしたもので、圧縮機にかかる負荷が低減し、負担を減らすことにより圧縮機の信頼性を向上することができるとともに、停止時の冷媒流通音を小さくすることができる。
【００１３】
第３の発明は、特に、第１の発明の圧縮機の回転数が予め決めておいた回転数以下の時に、運転停止指示後、予め決めておいた時間の間、前記圧縮機の回転数を下げて運転した後、運転を停止するようにしたもので、圧縮機にかかる負荷が低減し、負担を減らすことにより圧縮機の信頼性を向上することができるとともに、停止時の冷媒流通音を小さくすることができる。
【００１４】
以下、本発明の実施の形態について、図面を参照しながら説明する。なお、この実施の形態によって本発明が限定されるものではない。
【００１５】
（実施の形態１）
本発明の第１の実施の形態における空気調和装置について、図１〜５を用いて説明する。図１は、本実施の形態における空気調和装置の冷凍サイクル図である。
【００１６】
図１において、本実施の形態における空気調和装置は、室外ユニット６と、室外ユニット６に接続された室内ユニット９から構成され、室外ユニット６には、圧縮機１と、四方弁２と、絞り装置４と、室外熱交換器５と、室外送風機７と、室外配管温度センサ８が配設され、室内ユニット９には、室内熱交換器３と、室内送風機１０と、室内配管温度センサ１１が配設され、圧縮機１、四方弁２、室内熱交換器３、絞り装置４、室外熱交換器５を冷媒回路で連結してヒートポンプ式冷凍サイクルを形成している。ここでの絞り装置４は、電磁膨張弁でもよい。
【００１７】
図２は、同空気調和装置の制御ブロック図、図３は、同空気調和装置のフローチャート、図４は、同空気調和装置のタイムチャート、図５は、一般的なＰ−Ｈ線図（モリエル線図）である。
【００１８】
図２〜図４において、運転／停止判断手段１２により、運転停止と判断された時に、室内ユニット９から圧縮機遅延運転信号が室外ユニット６に送信される。このとき圧縮機遅延開始信号受信手段１３で、圧縮機遅延運転信号を受信して、圧縮機遅延タイマー１４が作動し、予め決めておいた時間ａの間、圧縮機１の回転数を下げながら圧縮機遅延制御運転が行われ停止する。
【００１９】
また、室内配管温度センサ１１と室外配管温度センサ８のそれぞれで検出された温度を、配管温度差判断手段１５により検知し温度差が判断され、予め決めておいた温度差ｂ以上の時には圧縮機１の回転数を下げながら圧縮機遅延制御運転が行われ停止する。また、運転／停止判断手段１２にて運転停止と判断された時の圧縮機１の回転数を圧縮機回転数判断手段１６により判断し、予め決めておいた圧縮機回転数ｃ以下の時には、圧縮機１の回転数を下げながら圧縮機遅延制御運転が行われ停止する。
【００２０】
これにより、高低圧差が大きな状態で運転停止されても圧縮機遅延制御により高低圧差が小さくなり圧縮機１の負担が減少でき、圧縮機１の信頼性を向上させることができると共に、運転停止時の冷媒流通音を小さくできる。
【００２１】
また、暖房運転時に、圧縮機遅延制御が行われている時には室内送風機１０は停止されるとともに、冷凍サイクルの構成上、圧縮機１の運転音が室内ユニット９側に伝播する傾向にあり室内ユニット９での実聴感が悪化する。このため、予め決めておいた圧縮機回転数ｃを設け、圧縮機回転数ｃ以上の時には、圧縮機遅延制御を行わず運転停止することで室内ユニット９での実聴感の悪化を防止することができる。
【００２２】
また圧縮機遅延制御中の圧縮機回転数の下げ幅は、予め本体制御で定められた周波数変更速度により下げてもいいが、一定的な下げ幅でも同様の効果が得られる。
【００２３】
図５は、冷凍サイクルの一般的なＰ−Ｈ線図（モリエル線図）であるが、圧縮機１の回転数を下げることにより、空気調和装置の高圧（Ｈｐ）と低圧（Ｌｐ）との差が小さくなる。このため、圧縮機１の回転数が大きい時に停止した場合と比較すると、圧縮機１を遅延運転させて回転数を下げることにより、高圧と低圧との差を小さくして停止させることができ、停止時の圧縮機１に対する負担が小さくなる。また、これら高低圧差が大きい場合に停止すると、圧縮機１の負担が大きく冷媒流通音などの異音が発生する場合があるが本実施の形態によりこれらを回避することができる。
【産業上の利用可能性】
【００２４】
以上のように、本発明にかかる空気調和装置は、圧縮機の信頼性を向上させるとともに冷媒流通音が小さいもので、各種空気調和装置に適用できる。
【図面の簡単な説明】
【００２５】
【図１】本発明の実施の形態１における空気調和装置の冷凍サイクル図
【図２】同空気調和装置の制御ブロック図
【図３】同空気調和装置のフローチャート
【図４】同空気調和装置のタイムチャート
【図５】一般的なＰ−Ｈ線図（モリエル線図）
【図６】従来の空気調和装置の冷凍サイクル図
【図７】同空気調和装置の制御ブロック図
【図８】同空気調和装置のタイムチャート
【符号の説明】
【００２６】
１  圧縮機
２  四方弁
３  室内熱交換器
４  絞り装置
５  室外熱交換器
６  室外ユニット
７  室外送風機
８  室外配管温度センサ
９  室内ユニット
１０  室内送風機
１１  室内配管温度センサ
１２  運転／停止判断手段
１３  圧縮機遅延開始信号受信手段
１４  圧縮機遅延タイマー
１５  配管温度差判断手段
１６  圧縮機回転数判断手段
【図１】
2009204225.tif 000003
【図２】
2009204225.tif 000004
【図３】
2009204225.tif 000005
【図４】
2009204225.tif 000006
【図５】
2009204225.tif 000007
【図６】
2009204225.tif 000008
【図７】
2009204225.tif 000009
【図８】
2009204225.tif 000010